(57)【要約】【課題】無線放送受信機によって受信可能でありつつも、インターネット広告のように、広告の内容がユーザ毎に異なる広告を実現する。【解決手段】広告を含む番組コンテンツの提供システム１であって、通信ネットワークに対して送信が可能である番組提供処理装置３と、放送波を受信可能な複数の受信機４ｂ，４ｃと、前記複数の受信機それぞれに接続された複数の通信ネットワーク端末装置５ｂ，５ｃと、を備えている。前記番組提供処理装置３は、番組コンテンツの放送波に対してΔΣ変調を行って生成された量子化信号を、通信ネットワークを介して、前記通信ネットワーク端末装置に送信するよう構成されている。前記通信ネットワーク端末装置５ｂ，５ｃは、通信ネットワークを介して受信した前記量子化信号を、前記放送波として前記受信機４ｂ，４ｃに対して出力するよう構成されている。前記受信機４ｂ，４ｃに対して出力される前記放送波に係る番組コンテンツは広告を含み、当該広告は前記受信機４ｂ，４ｃによって内容が異なり得る。【選択図】図１
2014042159.tif 000002
【特許請求の範囲】
【請求項１】
広告を含む番組コンテンツの提供システムであって、
通信ネットワークに対して送信が可能である番組提供処理装置と、
放送波を受信可能な複数の受信機と、
前記複数の受信機それぞれに接続された複数の通信ネットワーク端末装置と、
を備え、
前記番組提供処理装置は、番組コンテンツの放送波に対してΔΣ変調を行って生成された量子化信号を、通信ネットワークを介して、前記通信ネットワーク端末装置に送信するよう構成され、
前記通信ネットワーク端末装置は、通信ネットワークを介して受信した前記量子化信号を、前記放送波として前記受信機に対して出力するよう構成され、
前記受信機に対して出力される前記放送波に係る番組コンテンツは広告を含み、当該広告は前記受信機によって内容が異なり得る
ことを特徴とする提供システム。
【請求項２】
前記番組提供処理装置は、番組コンテンツに含まれるべき広告を決定する決定処理を行うよう構成されている
請求項１記載の提供システム。
【請求項３】
前記番組提供処理装置は、前記決定処理によって決定された広告が含まれる番組コンテンツの放送波を表現する前記量子化信号を、通信ネットワークを介して、前記通信ネットワーク端末装置に送信する
請求項２記載の提供システム。
【請求項４】
前記番組提供処理装置は、
広告が含まれる番組コンテンツの放送波を取得する取得処理と、
前記取得処理によって取得した放送波に係る番組コンテンツに含まれる広告を、前記決定処理によって決定した広告に差し替える差替処理と、
を行うよう構成されている
請求項３記載の提供システム。
【請求項５】
前記番組提供処理装置は、番組コンテンツの放送波に対してΔΣ変調を行って生成された第１量子化信号と、前記決定処理によって決定した広告の放送波に対してΔΣ変調を行って生成された第２量子化信号とを、それぞれ、通信ネットワークを介して、前記通信ネットワーク端末装置に送信し、
前記通信ネットワーク端末装置は、前記第１量子化信号及び前記第２量子化信号に基づいて、前記決定処理によって決定された広告が含まれる番組コンテンツの放送波を表現する量子化信号を生成して、前記受信機に対して出力する
請求項２記載の提供システム。
【請求項６】
前記決定処理では、放送波の受信側に関する情報に基づいて、番組コンテンツに含まれるべき広告が決定される
請求項２〜５のいずれか１項に記載の提供システム。
【請求項７】
放送波の受信側の前記情報は、前記通信ネットワーク端末装置のＩＤ、前記受信機のＩＤ及びユーザのＩＤのうちの少なくとも一つを含む
請求項６記載の提供システム。
【請求項８】
放送波の受信側の前記情報は、前記通信ネットワーク端末装置又は前記受信機の設置場所に関する情報を含む
請求項６又は７記載の提供システム。
【請求項９】
放送波の受信側の前記情報は、ユーザが過去に視聴した番組コンテンツを示す情報を含む
請求項６〜８のいずれか１項に記載の提供システム。
【請求項１０】
広告に関するデータが格納された広告データベースを更に備え、
前記決定処理では、放送波の受信側に関する情報に基づいて、番組コンテンツに含まれるべき広告を、広告データベースに格納された広告候補の中から決定する
請求項６〜９のいずれか１項に記載の提供システム。
【請求項１１】
前記広告データベースには、広告主によって指定された広告条件と広告候補とが関連付けて格納されており、
前記決定処理では、放送波の受信側に関する前記情報と、前記広告条件と、に基づいて、番組コンテンツに含まれるべき広告が決定される
請求項１０記載の提供システム。
【請求項１２】
前記広告条件は、広告主から指定された入札価格を含み、
前記決定処理は、前記入札価格に基づくオークション処理を含む
請求項１１記載の提供システム。
【請求項１３】
前記決定処理では、広告主から指定された入札価格を、放送波の受信側に関する前記情報に基づいて修正した上で、前記オークション処理を行う
請求項１２記載の提供システム。
【請求項１４】
広告を含む番組コンテンツの提供方法であって、
番組提供処理装置が、番組コンテンツの放送波に対してΔΣ変調を行って生成された量子化信号を、通信ネットワークを介して、通信ネットワーク端末装置に送信し、
前記通信ネットワーク端末装置は、通信ネットワークを介して受信した前記量子化信号を、放送波を受信可能な複数の受信機に対して出力し、
前記受信機に対して出力される前記放送波に係る番組コンテンツは広告を含み、当該広告は前記受信機によって内容が異なり得る
ことを特徴とする提供方法。
【請求項１５】
番組コンテンツの放送波に対してΔΣ変調を行って生成された量子化信号を、通信ネットワークを介して、放送波を受信可能な受信機が接続される通信ネットワーク端末装置に送信する処理を行うよう構成され、
前記番組コンテンツは広告を含み、当該広告は、送信先の通信ネットワーク端末装置によって異なり得る
ことを特徴とする番組提供処理装置。
【請求項１６】
番組コンテンツの放送波に対してΔΣ変調を行って生成された第１量子化信号と、広告の放送波に対してΔΣ変調を行って生成された第２量子化信号とを、それぞれ、通信ネットワークを介して、受信し、
前記第１量子化信号及び前記第２量子化信号に基づいて、前記第２量子化信号に基づく広告が含まれる番組コンテンツの放送波を表現する量子化信号を生成して、放送波を受信可能な複数の受信機に対して出力する
ことを特徴とする通信ネットワーク端末装置。
【発明の詳細な説明】
【技術分野】
【０００１】
本発明は、番組コンテンツの提供システム及び方法、並びに、番組提供処理装置及び通信ネットワーク端末装置に関するものである。
【背景技術】
【０００２】
テレビ受信機又はラジオ受信機のような無線放送受信機は、世界中で、広く普及している。このため、テレビ放送などの無線放送は、情報発信のための手段として、非常に魅力がある。
商業放送では、放送番組を無料で受信できるように、放送番組の前後又は途中において、広告放送（ＣＭ；commercial message）が流される。これにより、放送局は、広告主から広告料収入を得ることができる。
【０００３】
一方、インターネットの普及により、インターネット広告も増加している。インターネット広告は、ユーザの属性などによって、広告の内容を異ならせて、個々のユーザに適した広告を配信することが可能である。
【先行技術文献】
【非特許文献】
【０００４】
【非特許文献１】和保  孝雄、安田  明  監訳（原著者  Richard Schreier, Gabor C. Temes）ΔΣ型アナログ／デジタル変換器入門（Understanding Delta-Sigma Data Converters）、丸善株式会社、２００７
【発明の概要】
【発明が解決しようとする課題】
【０００５】
無線放送による広告は、無線放送受信機が既に広く普及しており、多数の視聴者（ユーザ）が期待できるという点で優れている。しかし、放送であるため、インターネット広告のように、広告の内容を視聴者毎に異ならせることはできない。
【０００６】
例えば、無線放送では、同じ地域にいるユーザＡとユーザＢには同じ番組・広告しか提供できない。無線放送で、同じ地域にいるユーザＡとユーザＢに対して、異なる広告を提供しようとすると、広告内容の異なる電波を生成する必要があり、電波干渉が発生する。
【０００７】
一方、インターネット配信では、通信ネットワーク（インターネット）を利用して配信されるため、地域にかかわらず複数のユーザそれぞれに異なるコンテンツを提供することは容易である。
しかし、インターネット端末としての機能を有する装置でなければ、インターネット配信のコンテンツを得ることはできない。つまり、無線放送受信機としての機能だけを有するテレビ受信機又はラジオ受信機では、インターネット配信のコンテンツを得ることはできなない。
【０００８】
そこで、本発明は、無線放送受信機によって受信可能でありつつも、インターネット広告のように、広告の内容がユーザ毎に異なる広告を実現するための新たな技術的手段を提供することを目的とする。
【課題を解決するための手段】
【０００９】
（１）本発明は、広告を含む番組コンテンツの提供システムであって、通信ネットワークに対して送信が可能である番組提供処理装置と、放送波を受信可能な複数の受信機と、前記複数の受信機それぞれに接続された複数の通信ネットワーク端末装置と、を備え、前記番組提供処理装置は、番組コンテンツの放送波に対してΔΣ変調を行って生成された量子化信号を、通信ネットワークを介して、前記通信ネットワーク端末装置に送信するよう構成され、前記通信ネットワーク端末装置は、通信ネットワークを介して受信した前記量子化信号を、前記放送波として前記受信機に対して出力するよう構成され、前記受信機に対して出力される前記放送波に係る番組コンテンツは広告を含み、当該広告は前記受信機によって内容が異なり得ることを特徴とする提供システムである。
【００１０】
上記本発明によれば、番組コンテンツの放送波は、通信ネットワークを介して送信されるため、広告を異ならせても無線放送の場合のように電波干渉のおそれがない。
しかも、通信ネットワークを介して送信される量子化信号は、番組コンテンツの放送波に対してΔΣ変調を行って生成されたものであり、デジタル信号として処理できる量子化信号が放送波を表現するものとなっている。このため、量子化信号を受信した通信ネットワーク端末装置は、受信した量子化信号を受信機に対して出力すれば、受信機は受信可能である。
【００１１】
（２）前記番組提供処理装置は、番組コンテンツに含まれるべき広告を決定する決定処理を行うよう構成されているのが好ましい。この場合、番組提供処理装置において、番組コンテンツに含まれるべき広告を決定することができる。
【００１２】
（３）前記番組提供処理装置は、前記決定処理によって決定された広告が含まれる番組コンテンツの放送波を表現する前記量子化信号を、通信ネットワークを介して、前記通信ネットワーク端末装置に送信するのが好ましい。この場合、番組提供処理装置が、決定処理によって決定された広告が含まれる番組コンテンツの放送波を表現する量子化信号を送信するため、通信ネットワーク端末装置側の処理負担が軽減される。
【００１３】
（４）前記番組提供処理装置は、広告が含まれる番組コンテンツの放送波を取得する取得処理と、前記取得処理によって取得した放送波に係る番組コンテンツに含まれる広告を、前記決定処理によって決定した広告に差し替える差替処理と、を行うよう構成されているのが好ましい。この場合、番組提供処理装置は、取得した放送波に係る番組コンテンツに含まれる広告を、前記決定処理によって決定した広告に差し替えることで、決定処理によって決定された広告が含まれる番組コンテンツを得ることができる。
【００１４】
（５）前記番組提供処理装置は、番組コンテンツの放送波に対してΔΣ変調を行って生成された第１量子化信号と、前記決定処理によって決定した広告の放送波に対してΔΣ変調を行って生成された第２量子化信号とを、それぞれ、通信ネットワークを介して、前記通信ネットワーク端末装置に送信し、前記通信ネットワーク端末装置は、前記第１量子化信号及び前記第２量子化信号に基づいて、前記決定処理によって決定された広告が含まれる番組コンテンツの放送波を表現する量子化信号を生成して、前記受信機に対して出力するものであってもよい。この場合、通信ネットワーク端末装置は、番組コンテンツの放送波に基づく第１量子化信号と決定処理によって決定した広告の放送波に基づく第２量子化信号とに基づいて、決定処理によって決定された広告が含まれる番組コンテンツの放送波を表現する量子化信号を生成することができる。このため、番組提供処理装置側の処理負担が軽減される。
【００１５】
（６）前記決定処理では、放送波の受信側に関する情報に基づいて、番組コンテンツに含まれるべき広告が決定されるのが好ましい。この場合、放送波の受信側に関する情報に応じて広告を異ならせることができる。
【００１６】
（７）放送波の受信側の前記情報は、前記通信ネットワーク端末装置のＩＤ、前記受信機のＩＤ及びユーザのＩＤのうちの少なくとも一つを含むのが好ましい。この場合、これらのＩＤに応じて広告を異ならせることができる。
【００１７】
（８）放送波の受信側の前記情報は、前記通信ネットワーク端末装置又は前記受信機の設置場所に関する情報を含むのが好ましい。この場合、設置場所に関する情報に応じて広告を異ならせることができる。
【００１８】
（９）放送波の受信側の前記情報は、ユーザが過去に視聴した番組コンテンツを示す情報を含むのが好ましい。この場合、ユーザが過去に視聴した番組コンテンツに応じて広告を異ならせることができる。
【００１９】
（１０）広告に関するデータが格納された広告データベースを更に備え、前記決定処理では、放送波の受信側に関する情報に基づいて、番組コンテンツに含まれるべき広告を、広告データベースに格納された広告候補の中から決定するのが好ましい。この場合、放送波の受信側に関する情報に基づいて、番組コンテンツに含まれるべき広告を、広告データベースに格納された広告候補の中から決定することができる。
【００２０】
（１１）前記広告データベースには、広告主によって指定された広告条件と広告候補とが関連付けて格納されており、前記決定処理では、放送波の受信側に関する前記情報と、前記広告条件と、に基づいて、番組コンテンツに含まれるべき広告が決定されるのが好ましい。この場合、放送波の受信側に関する情報と、広告条件と、に基づいて、番組コンテンツに含まれるべき広告を決定することができる。
【００２１】
（１２）前記広告条件は、広告主から指定された入札価格を含み、前記決定処理は、前記入札価格に基づくオークション処理を含むのが好ましい。この場合、入札価格に基づくオークション処理によって広告を決定することができる。
【００２２】
（１３）前記決定処理では、広告主から指定された入札価格を、放送波の受信側に関する前記情報に基づいて修正した上で、前記オークション処理を行うのが好ましい。この場合、オークション処理の際に、入札価格だけでなく、放送波の受信側に関する情報を考慮して、広告を決定することができる。
（１４）他の観点からみた本発明は、広告を含む番組コンテンツの提供方法であって、番組提供処理装置が、番組コンテンツの放送波に対してΔΣ変調を行って生成された量子化信号を、通信ネットワークを介して、通信ネットワーク端末装置に送信し、前記通信ネットワーク端末装置は、通信ネットワークを介して受信した前記量子化信号を、放送波を受信可能な複数の受信機に対して出力し、前記受信機に対して出力される前記放送波に係る番組コンテンツは広告を含み、当該広告は前記受信機によって内容が異なり得ることを特徴とする提供方法である。
【００２３】
（１５）他の観点からみた本発明は、番組コンテンツの放送波に対してΔΣ変調を行って生成された量子化信号を、通信ネットワークを介して、放送波を受信可能な受信機が接続される通信ネットワーク端末装置に送信する処理を行うよう構成され、前記番組コンテンツは広告を含み、当該広告は、送信先の通信ネットワーク端末装置によって異なり得ることを特徴とする番組提供処理装置である。
【００２４】
（１６）他の観点からみた本発明は、番組コンテンツの放送波に対してΔΣ変調を行って生成された第１量子化信号と、広告の放送波に対してΔΣ変調を行って生成された第２量子化信号とを、それぞれ、通信ネットワークを介して、受信し、前記第１量子化信号及び前記第２量子化信号に基づいて、前記第２量子化信号に基づく広告が含まれる番組コンテンツの放送波を表現する量子化信号を生成して、放送波を受信可能な複数の受信機に対して出力することを特徴とする通信ネットワーク端末装置である。
【発明の効果】
【００２５】
本発明によれば、無線放送受信機によって受信可能でありつつも、インターネット広告のように、広告の内容がユーザ毎に異なる広告を実現することができる。
【図面の簡単な説明】
【００２６】
【図１】番組コンテンツ提供システム１を含む放送システムの構成図である。
【図２】番組提供処理装置３と通信ネットワーク端末装置の構成図である。
【図３】送信処理部の構成図である。
【図４】ΔΣ変調器の構成図である。
【図５】１次ローパス型ΔΣ変調器である。
【図６】１次ローパス型ΔΣ変調器から変換して得られた２次バンドパス型ΔΣ変調器である。
【図７】広告決定処理部の構成図である。
【図８】ジャンル別広告候補データベースを示す図である。
【図９】広告−キーワードデータベースを示す図である。
【図１０】広告−広告主データベースを示す図である。
【図１１】広告価格データベースを示す図である。
【図１２】信号データベースを示す図である。
【図１３】入札価格データベースを示す図である。
【図１４】順位付広告候補と入札価格のデータを示す図である。
【図１５】広告放送シミュレーション部を示す図である。
【図１６】変形例に係る送信処理部を示す構成図である。
【図１７】変形例に係る通信ネットワーク端末装置の構成図である。
【発明を実施するための形態】
【００２７】
以下、本発明の好ましい実施形態について図面を参照しながら説明する。
【００２８】
［１．番組コンテンツ提供システムの全体構成］
図１は、通信ネットワークを利用した番組コンテンツ提供システム１を含む放送システムを示している。
放送システムには、放送番組コンテンツの提供側が有する設備として、放送用送信機２ａ，２ｂと、番組提供処理装置３と、が備わっている。
放送システムには、放送番組コンテンツの提供を受ける側（ユーザ；視聴者）が有する設備として、テレビ受信機４ａ，４ｂ，４ｃと、通信ネットワーク端末装置５ｂ、５ｃと、を備えている。
【００２９】
番組コンテンツ提供システム１は、放送システムの構成要素２ａ，２ｂ，３，４ａ，４ｂ，４ｃ，５ｂ，５ｃのうち、番組提供処理装置３と、テレビ受信機４ｂ，４ｃ（又はラジオ受信機）と、通信ネットワーク端末装置５ｂ，５ｃと、を含んで構成されている。
【００３０】
放送用送信機２ａ，２ｂは、テレビ放送又はラジオ放送等の無線放送用送信機である。放送用送信機２ａ，２ｂは、放送局などに設置され、家庭等に設定されたテレビ受信機４ａ，４ｂ，４ｃ又はラジオ受信機によって受信されて出力（映像出力・音声出力）可能な無線放送波を、放送アンテナ２１から送信する。例えば、地上デジタルテレビ放送の放送波は、搬送波を、放送番組コンテンツの映像信号、音声信号、番組情報を含む信号で変調して得られた高周波信号(ＲＦ信号)である。
ここで、番組情報は、放送される番組に関する各種情報である。例えば、番組情報は、番組コンテンツを識別するためのＩＤ（番組ＩＤ）、番組のチャンネル（周波数）、番組のタイトル、番組の放送日時、番組内容を説明するテキスト等を含む。
【００３１】
放送用送信機２によって電波として送信された放送波は、空間を伝播し、家庭等に設置された受信アンテナ４１を介して、テレビ受信機４ａ，４ｂ，４ｃ（又はラジオ受信機）によって受信される。
ユーザ（視聴者）は、放送用送信機２ａ，２ｂから送信され、テレビ受信機４ａ，４ｂ，４ｃによって受信された放送番組コンテンツを視聴することができる。
【００３２】
なお、図１に示すテレビ受信機４ａのように、アンテナ４１とテレビ受信機４ａとの間に、本実施形態に係る通信ネットワーク端末装置５ｂ，５ｃが介在しない場合（一般的なアンテナ及４１及びテレビ受信機４の設置形態の場合）、アンテナ４１は、同軸ケーブルなどの信号線路を介して、テレビ受信機４ａのアンテナ端子４２に接続される。
【００３３】
無線放送波として送信される番組コンテンツには、番組の前後又は途中に広告が含まれている。同一の放送用送信機２ａ，２ｂから送信された無線放送波を受信した受信機４ａ，４ｂ，４ｃには、同じ広告が流れる。このように、番組コンテンツが無線放送で提供される場合、同一の放送用送信機２ａ，２ｂから送信された同一チャネルの同一番組コンテンツを視聴するユーザに対しては、同じ広告が提供されることになる。
【００３４】
番組提供処理装置３は、放送用送信機２ａ，２ｂからの無線放送による放送番組コンテンツの提供とは別に、通信ネットワークを介して、テレビ受信機４ｂ，４ｃ（又はラジオ受信機）側へ、放送番組コンテンツを提供するためのものである。
番組提供処理装置３は、アンテナ３１を有しており、放送用送信機２ａがアンテナ２１から送信した放送波をアンテナ３１にて受信して、番組コンテンツを取得することができる。
また、番組提供処理装置３は、放送用送信機２に対して有線の信号伝送路１０によって有線接続されており、番組コンテンツの放送波を、信号伝送路（例えば、光ファイバー）１０経由で、放送用送信機２から取得してもよい。
なお、番組提供処理装置３は、番組コンテンツのデータを保有し、番組コンテンツの放送波を自ら生成してもよい。
【００３５】
番組提供処理装置３は、インターネットなどの通信ネットワーク６に接続されている。番組提供処理装置３は、通信ネットワーク６を介して、番組コンテンツの放送波を表現する信号（後述の量子化信号）を、通信ネットワーク端末装置５ｂ，５ｃへ送信する。
【００３６】
通信ネットワーク端末装置５ｂ，５ｃは、それぞれ、出力端子５０１を備えている。出力端子５０１は、テレビ受信機４ｂ，４ｃのアンテナ端子４２，４２と接続されている。
通信ネットワーク端末装置５ｂ，５ｃは、通信ネットワーク６を介して放送波を表現する信号（量子化信号）を受信すると、その信号又はその信号に基づいて生成された信号を、放送波として、出力端子５０１から出力し、テレビ受信機４ｂ，４ｃのアンテナ端子４２へ入力させる。
これにより、テレビ受信機４ｂ，４ｃでは、番組提供処理装置３から提供された放送番組を出力することができ、ユーザは番組提供処理装置３から提供された放送番組を視聴することができる。
【００３７】
番組提供処理装置３から提供される番組コンテンツは、通信ネットワーク６経由で受信機４ｂ，４ｃ側へ提供されるものであるため、通常の無線放送（例えば、放送用送信機２ａからテレビ受信機４ａへの送信）のように放送波が電波として空間を伝播することがない。したがって、複数の受信機４ｂ，４ｃそれぞれに提供される番組コンテンツは、それぞれ、当該番組コンテンツに含まれる広告が異なるものであっても、電波干渉の問題を生じない。つまり、番組提供処理装置３は、受信機４ａと受信機４ｂとで広告が異なる番組コンテンツを提供することが可能である。
【００３８】
また、番組提供処理装置３は、通信ネットワーク６経由で放送番組コンテンツを提供するため、放送用送信機２ａ，２ｂから電波として送信された放送波を受信できる地域外のユーザであっても、放送番組コンテンツを視聴することができる。
【００３９】
［２．番組提供処理装置及び通信ネットワーク端末装置の構成］
［２．１  番組提供処理装置］
図２に示すように、番組提供処理装置３は、アンテナ３１又は信号伝送路１０を介して、放送用送信機２ａから番組コンテンツの放送波を取得する取得処理を行う番組取得部３２と、アンテナ３１又は信号伝送路１０を介して、放送用送信機２ａから番組コンテンツの放送予定等を示す番組情報（電子番組ガイドデータ）を取得する番組情報取得部３３と、を有している。
なお、番組提供処理装置３は、番組コンテンツの放送波及び番組情報を、自ら生成してもよい。
また、放送用送信機２ａから取得した番組コンテンツ及び番組情報を記憶する記憶部を備えていてもよい。
【００４０】
番組提供処理装置３は、ユーザからの視聴リクエストに応じて、ユーザが視聴を希望する番組コンテンツの放送波を、ユーザ側へ提供する。つまり、番組コンテンツのユーザへの提供は、放送用送信機２ａによる無線放送波による提供と並行して、番組提供処理装置３からも行われる。なお、番組提供処理装置３による番組コンテンツの提供は、放送用送信機２ａによる無線放送波による提供の後に行われても良い。
【００４１】
ユーザが視聴を希望する番組コンテンツの選択を容易にするため、番組提供処理装置３は、ユーザが選択可能な番組コンテンツ（番組提供処理装置３が提供可能な番組コンテンツ）の一覧を番組情報として送信する番組情報送信部３４を備えている。
番組情報送信部３４によって送信される番組情報は、番組情報取得部３３によって取得された番組情報そのものであってもよいし、取得された番組情報を加工したものであってもよい。
【００４２】
また、番組提供処理装置３は、ユーザ側（通信ネットワーク端末装置５ｂ，５ｃ）から、ユーザが視聴を希望する番組コンテンツのリクエストである視聴リクエスト（番組送信要求）を受信する視聴リクエスト受信部３５を備えている。
ユーザ側から送信される視聴リクエストは、ユーザが視聴を希望する番組コンテンツを特定する番組ＩＤ、番組コンテンツの送信時の希望チャンネル（送信時の希望周波数）、受信側に関する情報（ユーザ又はユーザの有する機器５ｂ，５ｃ，４ｂ，４ｃに関する情報）を含んでいる。
【００４３】
視聴リクエスト受信部３５は、受信した視聴リクエストに含まれる番組ＩＤを、番組取得部３２に与える。番組取得部３２は、番組ＩＤによって特定される番組コンテンツの放送波を、放送用送信機２ａから取得することができる。番組取得部３２は、取得した番組コンテンツの放送波又はあらかじめ取得して記憶しておいた番組コンテンツの放送波を、送信処理部３７に与える。また、番組取得部３２は、送信処理部３７に与えた番組コンテンツの放送波を広告タイミング検出部３８にも与える。
【００４４】
広告タイミング検出部３８は、広告が含まれる番組コンテンツの放送波において、広告が放送されるタイミングを検出する。
広告タイミング検出部３８は、広告が含まれる番組コンテンツの放送波において、広告の開始タイミングと終了タイミングを検出する。
【００４５】
広告タイミング検出部３８は、例えば、テレビ放送の録画再生装置において、広告をスキップして録画するか、又は、広告をスキップして再生するために用いられる広告タイミング検出機能と同様のものとして構成できる。
例えば、放送波に、広告の開始タイミングと広告の終了タイミングを示す信号が含まれている場合、広告タイミング検出部３８は、その信号を検出することで、広告タイミングを検出できる。
【００４６】
広告タイミング検出部３８は、検出した広告タイミング（開始タイミング及び終了タイミング）を、送信処理部３７に与える。
【００４７】
視聴リクエスト受信部３５は、受信した視聴リクエストに含まれる番組ＩＤ及び受信側に関する情報（受信側情報）を、広告決定処理部３６に与える。広告決定処理部３６は、受信側に関する情報に基づいて、ユーザ（通信ネットワーク端末装置５ｂ，５ｃ；受信機４ｂ，４ｃ）毎に、番組ＩＤによって特定される番組コンテンツに含まれるべき広告を決定する処理を行う（詳細は後述）。なお、広告に関するデータは、広告データベース７に格納されている。
広告決定処理部３６は、決定した広告の信号（広告の放送波又は広告の量子化信号）を、送信処理部３７に与える。
【００４８】
また、視聴リクエスト受信部３５は、番組コンテンツの送信時の希望チャンネル（送信時の希望周波数）を、送信処理部３７に与える。
【００４９】
送信処理部３７は、放送波を表現する信号を通信ネットワーク端末装置５ｂ，５ｃへ送信する。放送波を表現する信号は、広告決定処理部３６によって決定された広告が含まれる番組コンテンツの放送波に対してΔΣ変調を行って得られた量子化信号（ΔΣ変調信号）である（詳細は後述）。
放送波（ＲＦ信号）をΔΣ変調して得られた量子化信号（ΔΣ変調信号）は、デジタル信号であるが、放送波のアナログ波形を表現したものでもある。
したがって、量子化信号を、デジタル信号として、外部の通信ネットワーク６に送信することが可能である。しかも、量子化信号の受信側では、その量子化信号を放送波として受信することが可能である。
なお、通信ネットワーク端末装置５ｂ，５ｃへ送信される放送波のチャンネルは、視聴リクエストに含まれる希望チャネルに設定される。また、量子化信号はパケット化されて、パケットデータとして送信される。
【００５０】
図３（ａ）は、送信処理部３７の構成の一例を示している。送信処理部３７は、制御部６１、切替部６２、第１周波数変換器６３、ＡＤ変換器６４、第２周波数変換器６５、ΔΣ変調器６６、及び番組送信部６７を備える。
なお、送信処理部３７による処理は、ユーザ毎（視聴リクエストを送信してきた通信ネットワーク端末装置５ｂ，５ｃ毎）に行われる。
【００５１】
制御部６１は、送信処理部３７における各部を制御するためのものである。制御部６１の機能については、後述する。
【００５２】
切替部６２は、送信処理部３７によって処理される信号を、番組取得部３２によって取得した番組コンテンツの放送波（番組ＲＦ信号）とするか、広告決定処理部３６によって決定された広告の放送波(広告ＲＦ信号)とするか、を切り替える。
なお、広告の放送波の信号は、広告データベース７に格納されており、広告決定処理部３６によって決定された広告の放送波（広告ＲＦ信号）が、広告データベース７から、広告決定処理部３６を介して、送信処理部３７に与えられる。
【００５３】
制御部６１は、広告タイミング検出部３８から与えられた広告タイミングに基づいて、切替部６２における切替を制御する。制御部６１は、番組コンテンツにおける番組本体（番組コンテンツから広告を除いた部分）が流れるべきタイミングにおいては、番組取得部３２によって取得された番組コンテンツの放送波が切替部６２の後段側に流れ、番組コンテンツにおける広告が流れるべきタイミングには、広告決定処理部３６によって決定された広告の放送波が切替部６２の後段側に流れるように、切替部６２を制御する。
より具体的には、制御部６１は、番組本体の放送中は、切替部６２を番組コンテンツ放送波側に切替えておき、広告の開始タイミングになると、切替部６２を広告の放送波側に切り替える。そして、制御部６１は、広告の終了タイミングになると、切替部６２を番組コンテンツ放送波側に戻す。
【００５４】
切替部６２による切替によって、番組コンテンツに元々含まれていた広告が、広告決定処理部３６による広告決定処理によって決定された広告に差し替えられる（広告の差替処理）。
差替処理によって、放送用送信機２ａから送信される番組コンテンツの広告と、送信処理部３７から送信される番組コンテンツの広告とは、番組本体は同一であっても、異なるものとなる。
【００５５】
しかも、広告決定処理部３６による広告決定処理は、ユーザ（通信ネットワーク端末装置５ｂ，５ｃ；受信機４ｂ，４ｃ）毎に行われるため、ユーザによって異なる広告が決定された場合、番組本体は同一であっても、複数のユーザ（通信ネットワーク端末装置５ｂ，５ｃ；受信機４ｂ、４ｃ）毎に、広告の内容が異なり得るものとなる。
【００５６】
第１周波数変換器６３及び第２周波数変換器６５は、入力された放送波(ＲＦ信号)の周波数変換を行う。第１周波数変換器６３は、放送波の周波数ｆ１を、所定の中間周波数ｆ３の信号（ＩＦ信号）へ変換（ダウンコンバート）する。
第１周波数変換器６３から出力された信号は、ＡＤ変換器６４へ与えられる。ＡＤ変換器６４は、第１周波数変換器６３から出力された信号を、ＡＤ変換し、デジタル信号を出力する。
第２周波数変換器６５は、ＡＤ変換器６４から出力されたデジタル信号である周波数ｆ３の信号を、希望チャネルに相当する周波数ｆ２の信号へ変換（アップコンバート）する。第２周波数変換器６５から出力された信号（デジタルＲＦ信号）は、ΔΣ変調器６６に与えられる。
【００５７】
なお、第２周波数変換器６５から出力される信号の周波数ｆ２が、第１周波数変換器６３に入力された信号の周波数ｆ１に等しい場合、外部から入力された放送波（ＲＦ信号）は、同じ周波数のままで、ΔΣ変調器６６に入力される。
【００５８】
第２周波数変換器６５から出力される信号の周波数ｆ２（希望チャンネル）は、第１周波数変換器６３に入力された信号の周波数ｆ１（無線放送における番組コンテンツのチャンネル）と異なっていても良い。ｆ１とｆ２とが異なる場合、第１周波数変換器６３及び第２周波数変換器６５は、外部から取得した番組コンテンツの放送波（ＲＦ信号）の周波数変換部（チャネル変換部）として機能する。
【００５９】
第１周波数変換器６３及び第２周波数変換器６５は、制御部６１によって制御される。制御部６１は、外部から取得した番組コンテンツの放送波（ＲＦ信号）の周波数ｆ１を変更せずに、ΔΣ変調器６６に与えたり、任意の周波数ｆ２（希望チャンネル）に変更して、ΔΣ変調器６６に与えたりすることができる。
【００６０】
制御部６１は、取得した番組コンテンツの放送波（ＲＦ信号）の周波数ｆ１に応じて、第１周波数変換器６３を制御し、周波数ｆ１を所定の中間周波数ｆ３に変換させる。また、制御部６１は、ΔΣ変調器６６に入力すべき放送波の周波数（希望チャネル）ｆ２に応じて、第２周波数変換器６５を制御し、所定の中間周波数ｆ３を所望の周波数ｆ２に変換させる。
【００６１】
ＡＤ変換器６４は、入力されたアナログ信号をデジタル信号に変換するためのものであるが、このＡＤ変換器６４を、ダウンコンバートを行う第１周波数変換器６３とアップコンバートを行う第２周波数変換器６５の間に設けることで、ＡＤ変換器６４の動作速度を低く抑えることができる。
なお、ＡＤ変換器６４の動作速度を低く抑える必要がない場合には、放送波の周波数変換部を一つの周波数変換部６３，６５で構成してもよい。
【００６２】
ΔΣ変調器６６は、入力された放送波（周波数ｆ２）に対して、ΔΣ変調を行って、１ｂｉｔの量子化信号（パルス信号）を出力する。なお、本実施形態のΔΣ変調器６６は、バンドパス型ΔΣ変調器として構成されているが、ローパス型ΔΣ変調器であってもよい。
【００６３】
バンドパス型ΔΣ変調器６６は、量子化雑音阻止帯域（バンドパス型ΔΣ変調器６６の中心周波数）を変更可能に構成されている。ΔΣ変調器６６の量子化雑音阻止帯域は、制御部６１によって制御される。バンドパス型ΔΣ変調器６６の量子化雑音阻止帯域は、バンドパス型ΔΣ変調器６６に入力される放送波の周波数帯域（希望チャネル）を含む周波数帯域となるように制御部６１によって調整される（詳細は後述）。
なお、ΔΣ変調器６６から出力される量子化信号は、１ｂｉｔである必要はない。ΔΣ変調器６６から出力される量子化信号は、ΔΣ変調器６６に入力されたデジタルデータのビット数よりも少なければよい。
【００６４】
ΔΣ変調器６６から出力された量子化信号（ΔΣ変調信号）は、番組送信部６７によって、通信ネットワーク６へ送信される。
番組送信部６７は、デジタル化されたＲＦ信号としての量子化信号（ΔΣ変調信号）を、パケット化し、パケットデータにして、視聴リクエストを送信してきた通信ネットワーク端末装置５ｂ，５ｃに対して送信する。番組送信部６７は、パケット再送など、パケット通信に必要な処理を行う。
【００６５】
また、送信部６７は、量子化信号の受信側（通信ネットワーク端末装置５ｂ，５ｃ）に対して、必要な情報も、パケットデータに含めて送信する。送信部６７が送信する情報には、量子化信号の受信側（通信ネットワーク端末装置５ｂ，５ｃ）が、受信した量子化信号を、ΔΣ変調器６６が出力した量子化信号（パルス状のΔΣ変調信号）と同じ波形（パルス波形）の信号として再現するための情報（再現情報）が含まれる。
【００６６】
ΔΣ変調器６６は、サンプリング周波数ｆｓに応じたレートで、パルス状の量子化信号（ΔΣ変調信号）を出力する。このような量子化信号が示す量子化値だけを、単純に、パケットデータにすると、パケットデータには、量子化値を示すビット列が含まれるだけで、量子化信号のレートに関する情報が欠落する。そこで、送信部６７は、パケット化された量子化信号の受信側（通信ネットワーク端末装置５ｂ，５ｃ）において、量子化値を示すビット列から、Σ変調器６６が出力したパルス状のΔΣ変調信号を再現できるように、パケットデータに、再現情報を含めて送信する。
【００６７】
再現情報には、例えば、ΔΣ変調器６６におけるサンプリング速度（サンプリング周波数）を示す情報（サンプリング速度情報）が含まれる。量子化信号が示す量子化値を、サンプリング速度に対応した速度でパルス化すれば、ΔΣ変調器６６が出力したパルス状のΔΣ変調信号を再現することができる。
また、量子化信号が、多ビットである場合、再現情報には、量子化信号のビット数を示す情報を含めても良い。
【００６８】
なお、再現情報が、受信側の装置において既知の場合には、送信部６７は、再現情報を送信する必要はない。
【００６９】
パケット通信の場合、通信ネットワーク６の伝送速度は保証されないため、ΔΣ変調器６６から出力された量子化信号を、パルス信号としての信号波形を維持したまま、通信ネットワーク６に送信することはできないが、前述の再現情報の交換によって、通信ネットワーク端末装置５ｂ，５ｃは、パケット化された量子化信号からでも、送信側のΣ変調器６６が出力したパルス状のΔΣ変調信号を再現することが容易となっている。
また、放送波をΔΣ変調（特に、バンドバス型ΔΣ変調）によってデジタル化したため、比較的少ない情報量となっていることからも、パケット通信に適したものとなっている。
【００７０】
図３（ｂ）は、送信処理部３７の構成の他の例を示している。図３（ｂ）に示す送信処理部３７は、図３（ａ）における送信処理部３７において、切替部６２を省略し、ΔΣ変調器６６と番組送信部６７との間に、切替部６８を追加したものに相当する。
【００７１】
図３（ｂ）に示す送信処理部３７においては、第１周波数変換器６３には、番組取得部３２によって取得した番組コンテンツの放送波（番組ＲＦ信号）が与えられる。したがって、ΔΣ変調器６６からは、広告が差し替えられていない元のままの番組コンテンツの放送波に対してΔΣ変調がなされて得られた量子化信号が出力される。
【００７２】
図３（ｂ）の切替部６８は、番組送信部５７に与えられる信号を、ΔΣ変調器６６から出力された信号とするか、広告決定処理部３６によって決定された広告の放送波の量子化信号（広告の放送波にΔΣ変調を行ってえられた量子化信号）とするかを、切り替える。
なお、広告の放送波の量子化信号（広告量子化信号）は、広告データベース７に格納されており、広告決定処理部３６によって決定された広告の放送波の量子化信号（広告量子化信号）が、広告データベース７から、広告決定処理部３６を介して、送信処理部３７に与えられる。
【００７３】
制御部６１による切替部６８の切替制御は、切替部６２の切替制御と同様である。したがって、図３（ｂ）の送信処理部３７においても、切替部６８による切替によって、広告を含む番組コンテンツにおける広告が、広告決定処理部３６による広告決定処理によって決定された広告に差し替えられる（広告の差替処理）。
【００７４】
なお、切替部６２，６３は、図３（ａ）（ｂ）に示した位置のほか、ＡＤ変換器６４とΔΣ変調器６６との間（ＡＤ変換器６４と第２周波数変換器６５との間、又は、第２周波数変換器６５とΔΣ変調器６６との間）など、広告を差し替え可能である他の位置に設けてもよい。ただし、ＡＤ変換器６４よりも後段側で差替処理を行う場合には、差替処理をデジタル信号処理で行えるため、処理が容易となる。また、図３（ｂ）に示すように、ΔΣ変調器６６よりも後段側で差替処理を行うと、処理速度を抑えることができる。
【００７５】
以上のように、本実施形態の送信処理部３７からは、広告決定処理によって決定された広告を含む番組コンテンツの放送波を表現する量子化信号が、視聴リクエストを送信してきた通信ネットワーク端末装置５ｂ，５ｃに対して送信される。
【００７６】
［２．２  通信ネットワーク端末装置］
図２に戻り、通信ネットワーク端末装置５ｂ，５ｃは、番組提供処理装置３の番組情報送信部３４から、通信ネットワーク６を介して、番組情報を受信する番組情報取得部５２を備えている。番組情報取得部５２は、ユーザによる表示操作に応じて、受信した番組情報（番組コンテンツの一覧）を、テレビ受信機４ｂ，４ｃ又はその他の表示装置（図示省略）に表示させる。
【００７７】
ユーザは、選択可能な番組コンテンツの一覧が表示されている状態で、操作部５３を操作し、番組提供処理装置３からの送信を希望する番組コンテンツ（視聴を希望する番組コンテンツ）を選択する操作を行うことができる。
また、操作部５３では、送信を希望する希望チャンネルも選択することができる。希望チャンネルとは、番組提供処理装置３から提供される番組コンテンツの放送波を、受信機４ｂ，４ｃで受信するための受信チャンネルである。例えば、受信機４ｂ，４ｃが設置された地域において、無線放送として受信可能な放送チャンネル以外の空チャンネルを、希望チャンネルとして選択することができる。
【００７８】
無線放送にとっての空チャンネルを、番組提供処理装置３から提供される番組コンテンツのチャンネルとすることで、受信機４ｂ、４ｃでは、無線放送の番組コンテンツを視聴不能にすることなく、番組提供処理装置３から提供される番組コンテンツを視聴することができる。
【００７９】
通信ネットワーク端末装置５ｂ，５ｃの視聴リクエスト送信部５４は、視聴リクエストを生成し、その視聴リクエストを、通信ネットワーク経由で、番組提供処理装置３へ送信する。
視聴リクエスト送信部５４は、操作部５３を介して選択された番組コンテンツのＩＤ及び希望チャネルは、視聴リクエスト（番組送信要求）を、視聴リクエストに含めて送信する。また、視聴リクエスト送信部５４は、受信側に関する情報（ユーザＩＤ，通信ネットワーク端末装置５ｂ，５ｃのＩＤ、受信機４ｂ，４ｃのＩＤ、通信ネットワーク端末装置又は受信機の設置場所）を、視聴リクエストに含めて送信する。
なお、受信側に関する情報（受信側情報）には、ユーザ個人が特定されないような処理（例えば、ハッシュ処理）が施されていても良い。
【００８０】
通信ネットワーク端末装置５ｂ，５ｃは、視聴リクエストへの応答として、番組提供処理装置３から送信された放送波の量子化信号を受信する。そして、通信ネットワーク端末装置５ｂ，５ｃは、受信機４ｂ，４ｃに放送波を出力する。このような受信及び出力のため、番組受信部５５、バッファ５６、出力部５７、切替部５８、及び制御部５９を備えている。
【００８１】
番組受信部５５は、番組コンテンツの放送波（希望チャネルに番組コンテンツが存在する放送波）の量子化信号（ΔΣ変調信号）を含んだパケットデータを、通信ネットワーク６を介して、番組提供処理装置３から受信する。
番組受信部５５は、受信したパケットデータのデパケット化を行い、パケットデータから、量子化信号、及び再現情報などを抽出する。
【００８２】
番組受信部５５にて受信された量子化信号は、ＦＩＦＯ（Ｆｉｒｓｔ  Ｉｎ  Ｆｉｒｓｔ  Ｏｕｔ）型のバッファ５６に一時的に保存される。受信部５５にて受信した再現情報（サンプリング速度情報）は、出力部５７に与えられる。
【００８３】
受信した量子化信号を、バッファ５６にて一時的に保存してから出力することで、通信ネットワーク６の伝送速度が一定でなかったり、パケット欠落などがあったりしても、量子化信号を、切れ目なく、所定のレート（再現情報が示すサンプリング速度に応じたレート）で連続的に出力することができる。つまり、バッファ５６を設けていることで、パケット通信で量子化信号を送信する場合や、通信ネットワーク６に速度保証がない場合であっても、対応できる。なお、通信ネットワーク６の伝送速度が、十分に高速であれば、バッファ５６を省略することもできる。
【００８４】
出力部５７は、バッファ５６に保存された量子化信号（量子化信号の量子化値）を、所定のレート（再現情報が示すサンプリング速度に応じたレート）のパルス信号として、出力する。
つまり、出力部５７から出力された量子化信号は、番組提供処理装置３のΔΣ変調器６６から出力された量子化信号の信号波形を再現したものとなる。
なお、再現情報は、受信部５５にて受信されたものを用いる必要はなく、通信ネットワーク端末装置５ｂ，５ｃにおいて予め設定されていてもよい。
【００８５】
番組提供処理装置３のΔΣ変調器６６により出力された量子化信号は、放送波（ＲＦ信号）の搬送波周波数付近の周波数（希望チャネル）において、放送波（ＲＦ信号）としての情報を保持している。したがって、出力部５７から出力された量子化信号も、放送波（ＲＦ信号）としての情報を保持している。
【００８６】
量子化信号（ΔΣ変調信号）は、ΔΣ変調器６６においてノイズシェイピングされた量子化雑音を有しており、この量子化雑音を除去して放送波（ＲＦ信号）を取り出したい場合には、放送波（ＲＦ信号）の搬送波周波数付近の周波数を通過させるアナログフィルタ（バンドパスフィルタ）を出力部５７とテレビ受信機４ｂ，４ｃとの間に設ければよい。ただし、量子化雑音が問題とならない場合、アナログフィルタは省略できる。
【００８７】
出力部５７から出力された量子化信号（放送波）は、切替部５８を介して、通信ネットワーク端末装置５ｂ，５ｃの出力端子５０１から出力される。
出力端子５０１は、例えば、同軸ケーブルが接続される端子として構成される。出力端子５０１は、テレビ受信機４ｂ，４ｃのアンテナ端子４２に対して、信号ケーブル（同軸ケーブルなど）を介して接続される。
【００８８】
テレビ受信機４ｂ，４ｃでは、アンテナ４１を介して受信される通常の放送波を受信することができるとともに、出力部５７から出力された量子化信号を放送波として受信することもできる。つまり、テレビ受信機４ｂ，４ｃは、番組提供処理装置３から伝送された量子化信号を、無線放送として送信されたＲＦ信号と同様に受信できる。
【００８９】
出力部５７から受信機４ｂ，４ｃに与えられる放送波（量子化信号）は、視聴リクエストに伴ってなされた広告決定処理により決定された広告を含む番組コンテンツの放送波となっている。したがって、仮に、番組本体が同一であっても、受信機４ｂ，４ｃ毎に広告は異なるものとなる。
【００９０】
出力端子３１３から出力されるＲＦ信号（出力ＲＦ信号）は、切替部（出力切替部）５８によって切り替えられる。
切替部５８は、通信ネットワーク端末装置５ｂ，５ｃに接続されたアンテナ４１によって受信された放送波と、出力部５７から出力された量子化信号（放送波）と、を選択的に、出力端子５０１へ与える。
切替部５８による、出力されるＲＦ信号の切り替えは、制御部５９によって制御される。
【００９１】
制御部５９は、ユーザによる操作に応じて出力端子５０１から出力される信号を切り替えるよう、切替部５８を制御する。
また、混信のおそれがない場合には、アンテナ４１からの放送波と、出力部５７からの放送波（量子化信号）とを、ともに、テレビ受信機４ｂ，４ｃに与えても良い。
【００９２】
なお、本実施形態では、通信ネットワーク端末装置３とテレビ受信機４ｂ，４ｃは、それぞれが別体の装置として構成されている。そして、同軸ケーブルなどのケーブルによってテレビ出力用の出力端子５０１とアンテナ端子４２とが接続されることによって、一体的に動作する。なお、通信ネットワーク端末装置３がテレビ受信機４ｂ，４ｃに内蔵され、通信ネットワーク端末装置３及びテレビ受信機４ｂ，４ｃが一体となった装置として構成されてもよい。一体型の装置として構成することにより、従来型テレビと同様な取り扱いで高機能化を図る事ができる。
【００９３】
［３．ΔΣ変調］
図４に示すように、ΔΣ変調器６６は、ループフィルタ２７と、量子化器２８と、を備えている（非特許文献１参照）。
図４に示すΔΣ変調器６６は、入力（本実施形態では、放送波）Ｕが、ループフィルタ２７に与えられる。ループフィルタ２７の出力Ｙは、量子化器（１ｂｉｔ量子化器）２８に与えられる。量子化器２８の出力（量子化信号）Ｖは、ループフィルタ２７への他の入力として与えられる。
【００９４】
ΔΣ変調器６６の特性は、信号伝達関数（ＳＴＦ；Ｓｉｇｎａｌ  Ｔｒａｎｓｆｅｒ  Ｆｕｎｃｔｉｏｎ）及び雑音伝達関数（ＮＴＦ；Ｎｏｉｓｅ  Ｔｒａｎｓｆｅｒ  Ｆｕｎｃｔｉｏｎ）によって表すことができる。
つまり、ΔΣ変調器６６の入力をＵとし、ΔΣ変調器６６の出力をＶとし、量子化雑音をＥとしたときに、ΔΣ変調器６６の特性を、ｚ領域において表すと、次のとおりである。
【数１】
2014042159.tif 000003
【００９５】
したがって、所望のＮＴＦとＳＴＦとが与えられると、ループフィルタ２７の伝達関数を得ることができる。
【００９６】
図５は、１次ローパス型ΔΣ変調器１２５の線形ｚ領域モデルのブロック図を示している。符号１２７がループフィルタの部分を示し、符号１２８が量子化器を示している。このΔΣ変調器１２５への入力をＵ（ｚ）とし、出力をＶ（ｚ）とし、量子化雑音をＥ（ｚ）としたときに、ΔΣ変調器１２５の特性を、ｚ領域において表すと、次のとおりである。
Ｖ（ｚ）＝Ｕ（ｚ）＋（１−ｚ−１）Ｅ（ｚ）
【００９７】
つまり、図５に示す１次ローパス型ΔΣ変調器１２５において、信号伝達関数ＳＴＦ（ｚ）＝１であり、雑音伝達関数ＮＴＦ（ｚ）＝１−ｚ−１である。
【００９８】
非特許文献１によれば、ローパス型ΔΣ変調器に対して、以下の変換を行うことで、ローパス型ΔΣ変調器を、バンドパス型ΔΣ変調器に変換できる。
【数２】
2014042159.tif 000004
【００９９】
上記変換式に従って、ローパス型ΔΣ変調器１２５のｚ領域モデルにおけるｚを、ｚ’＝−ｚ２に置き換えることでバンドパス型ΔΣ変調器が得られる。
【０１００】
上記変換式を用いると、ｎ次のローパス型ΔΣ変調器（ｎは１以上の整数）を、２ｎ次のバンドパス型Σ変調器に変換できる。
【０１０１】
本発明者は、ローパス型ΔΣ変調器から、所望の周波数ｆ０（θ＝θ０）を、中心周波数ｆ０として持つバンドパス型ΔΣ変調器を得るための変換式を見出した。当該変換式は、例えば、次の式（３）に示す通りである。
【数３】
2014042159.tif 000005
ここで、
θ０＝２π×（ｆ０／ｆｓ）  ｆｓはΔΣ変調器のサンプリング周波数
【０１０２】
式（２）の変換式では、特定の周波数θ０＝π／２に関するものであったが、式（３）の変換式では、任意の周波数（θ０）に一般化されている。
【０１０３】
図６は、図５に示す１次ローパス型ΔΣ変調器１２５を、式（３）の変換式で変換して得られた２次バンドパス型ΔΣ変調器６６を示している。
なお、図５から図６への変換では、表記の便宜上、式（３）において、ａ＝ｃｏｓθ０とおいた下記の変換式を用いた。
【数４】
2014042159.tif 000006
【０１０４】
なお、バンドパス型ΔΣ変調器への変換は、その他の高次ローパス型ΔΣ変調器（例えば、非特許文献１記載のＣＩＦＢ構造、ＣＲＦＦ構造、ＣＩＦＦ構造など）に対しても適用できる。
【０１０５】
ΔΣ変調器６６は、前述の式（３）に基づいて、ｚの値が変換可能となっている。つまり、ΔΣ変調器６６は、量子化雑音阻止帯域の中心周波数を変更可能となっている。換言すると、量子化雑音阻止帯域が変更可能となっている。
【０１０６】
送信処理部３７の制御部６１は、ΔΣ変調器６６に入力される信号の中心周波数ｆ２（上述の搬送周波数ｆ０）に応じて、前述の式（３）に基づいてΔΣ変調器６６のｚを変換することにより、任意の周波数の信号に対して、バンドパスΔΣ変調が行える。
このように、放送波（ＲＦ信号）の中心周波数（上述の搬送周波数ｆ０）に応じて、上記変換式（３）におけるｃｏｓθ０（係数ａ）を変更することで、サンプリング周波数ｆｓを変更することなく、任意の周波数ｆｓ（ｆ０）に対応したバンドパスΔΣ変調が行える。ｃｏｓθ０を変更すると、式（１）に示すＮＴＦの係数が変更されたことになるが、式の次数は維持される。このため、放送波（ＲＦ信号）の搬送波周波数ｆ２（ｆ０）に応じて、バンドパス型ΔΣ変調器６６の構成を変化させても、式の複雑度（次数）は変化せず、したがって、バンドパス型ΔΣ変調器６６における信号処理負荷も変化しない。
【０１０７】
このように本実施形態では、搬送波周波数ｆ２（ｆ０）を変化させても、バンドパス型ΔΣ変調器６６における信号処理負荷が変化しないため有利である。本実施形態において、バンドパス型ΔΣ変調器６６における信号処理負荷は、ナイキストの定理により、信号帯域幅によって決定されるサンプリング周波数ｆｓに依存するが、搬送波周波数ｆ（ｆ０）変化させても信号帯域幅が変化するわけではないためサンプリング周波数ｆｓを変更する必要はない。なお、ΔΣ変調器がローパス型である場合、搬送波周波数ｆ（ｆ０）の変化に対応するには、サンプリング周波数ｆｓを変更する必要があり、この点において、バンドパス型が有利である。
【０１０８】
また、式（３）を利用すると、ΔΣ変調器６６を任意の周波数ｆ２（ｆ０）に対応できるバンドパス型ΔΣ変調器として利用できるだけでなく、ローパス型ΔΣ変調器として利用することもできる。つまり、ΔΣ変調器６６は、ローパス型とバンドパス型とに切り替え可能となっている。
【０１０９】
［４．広告決定処理］
図７は、広告決定処理部３６の詳細を示している。なお、理解の容易のため、図７では、広告データベース７も示した。
広告決定処理部３６は、受信側情報及び番組ＩＤに基づいて、ユーザ（通信ネットワーク端末装置５ｂ，５ｃ）毎の広告を決定する。
広告決定処理部３６は、ジャンル特定部７１と、キーワード取得部７２と、広告候補選択部７３と、オークション処理部７４と、を備えている。
【０１１０】
ジャンル特定部７１は、ユーザが視聴を希望する番組コンテンツのジャンルを特定する。具体的には、ジャンル特定部７１は、視聴リクエストに含まれていた番組ＩＤを取得し、ジャンルデータベース７５を参照することで、番組コンテンツのジャンルを特定する。
ジャンルデータベース７５は、番組ＩＤと、その番組ＩＤによって特定される番組コンテンツのジャンルと、を対応付けて記憶している。したがって、ジャンル特定部７１は、番組ＩＤに基づいてジャンルデータベース７５を検索すると、番組ＩＤによって特定される番組コンテンツのジャンルを特定することができる。
【０１１１】
キーワード取得部７２は、ユーザ又はユーザ側装置（通信ネットワーク端末装置５ｂ，５ｃ又はテレビ受信機４ｂ，４ｃ）の特性（ユーザの好みなど）を示すキーワードを取得する。具体的には、キーワード取得部７２は、視聴リクエストに含まれていた受信側情報を取得し、履歴データベース７６及び番組データベース７７を参照することで、１又は複数のキーワードを取得する。
【０１１２】
履歴データベース７６は、ユーザＩＤ又はハードＩＤと、ユーザＩＤ又はハードＩＤによって特定されるユーザ又はユーザ側装置によって視聴された番組の履歴と、を対応付けて記憶している。ここで、ハードＩＤとは、通信ネットワーク端末装置５ｂ，５ｃのＩＤ又は受信機４ｂ，４ｃのＩＤのことである。また、番組履歴には、ユーザ又はユーザ側装置によって視聴された１又は複数の番組の番組ＩＤが格納される。
【０１１３】
キーワード取得部７２は、ユーザＩＤ又はハードＩＤに基づいて、履歴データベース７６を検索すると、ユーザＩＤによって特定されるユーザ又はハードＩＤによって特定されるユーザ側装置５ｂ，５ｃ，４ｂ，４ｃによって視聴された番組の履歴を取得することができる。
【０１１４】
番組データベース７７は、番組ＩＤと、番組ＩＤによって特定される番組コンテンツに関連するキーワードと、を対応付けて記憶している。番組データベース７７に格納されるキーワードは、例えば、番組のタイトル、番組に出演している俳優・声優の名前、番組の登場人物の名前、番組の制作監督の名前、番組の制作会社など、ユーザ側の好みに関連するキーワードである。
【０１１５】
キーワード取得部７２は、履歴データベース７６を検索して取得した番組履歴における番組ＩＤに基づいて、番組データベース７７を検索することで、ユーザ又はユーザ側装置の特性（ユーザの好みなど）を示すキーワードを取得することができる。
【０１１６】
広告候補選択部７３は、ジャンル特定部７１から番組コンテンツのジャンルを取得するとともに、キーワード取得部７２からキーワードを取得し、広告データベース７を参照し、１又は複数の広告候補を選択する。
【０１１７】
広告データベース７は、図８〜１２に示すような複数のデータベースを有している。広告データベース７が有する複数のデータベースには、ジャンル別広告候補データベース８１（図８）、広告−キーワードデータベース８２（図９）、広告−広告主データベース８３（図１０）、広告価格データベース８４（図１１）、信号データベース８５（図１２）、及び入札価格データベース８６ａ，８６ｂ（図１３）が含まれる。
【０１１８】
図８に示すジャンル別広告候補データベース８１は、番組コンテンツのジャンルと、そのジャンルに対応する複数の広告候補と、を対応付けて記憶している。ジャンル別広告候補データベース８１は、広告をどのジャンルの番組コンテンツで放送するかという広告条件と、広告とが関連付けられたものとなっている。ジャンルは、広告主によって指定される。
【０１１９】
図９に示す広告−キーワードデータベース８２は、ジャンル別広告候補データベース８１において広告候補として登録されている広告と、その広告に関連するキーワードと、を対応付けて記憶している。広告−キーワードデータベース８２に登録されたキーワードは、例えば、広告が放送されるべき番組コンテンツに関連するキーワードとして広告主が指定したものであり、例えば、番組のタイトル、番組に出演している俳優・声優の名前、番組の登場人物の名前、番組の制作監督の名前、番組の制作会社などである。
広告−キーワードデータベース８２におけるキーワードは、広告主によって指定される広告条件である。
【０１２０】
図１０に示す広告−広告主データベース８３は、広告（広告候補）と、その広告主と、を対応付けて記憶している。
図１１に示す広告価格データベース８４は、オークション処理部によって決定された広告価格を、時間帯とジャンル毎に記憶するためのものである。
図１２に示す信号データベース８５は、広告（広告候補）と、広告のＲＦ信号及び／又は量子化信号が格納された信号ファイルと、を対応付けて記憶している。
図１３に示す入札価格データベース８６ａ，８６ｂは、広告主毎の広告入札価格を記憶するためのものである。各広告主の広告入札価格は、時間帯とジャンル毎に各広告主によって指定される。入札価格データベース８６ａ，８６ｂにおける入札価格は、広告主によって指定される広告条件である。
【０１２１】
広告候補選択部７３は、まず、ジャンル特定部７１から取得した番組コンテンツのジャンルに基づいて、ジャンル別広告候補データベース８１を検索し、１又は複数の広告候補を取得する。
広告候補選択部７３は、取得した１又は複数の広告候補それぞれについて、広告−キーワードデータベース８２を参照し、各広告（広告候補）に設定された１又は複数のキーワードを取得する。
広告候補選択部７３は、１又は複数の広告候補それぞれに設定された１又は複数のキーワードと、キーワード取得部７２から取得した１又は複数のキーワードと、を比較し、両者に共通のキーワードが含まれているか否かを判定する。共通のキーワードが含まれている広告候補は、ユーザの特性等に一致したものであるとして、広告候補選択部７３から出力すべき広告候補として選択される。
【０１２２】
また、広告候補選択部７３は、広告候補選択部７３から出力すべき広告候補が複数存在する場合には、複数の広告候補に順位付け（重み付け）をして出力する。
複数の広告候補の順位付けは、例えば、広告候補に設定されたキーワードと、キーワード取得部７２から取得したキーワードと共通するキーワードの数が多い広告候補が上位になるように行われる。
【０１２３】
広告候補選択部７３によって上位に順位付けされた１又は複数の広告候補を、広告決定処理部３６から送信処理部３７に出力されるべき広告としてもよいが、本実施形態では、広告候補選択部７３によって選択された複数の広告候補は、オークション処理部７４に与えられ、複数の広告候補の中からオークション処理によって、決定された１又は複数の広告候補が、広告決定処理部３６から送信処理部３７に出力されるべき広告となる。
【０１２４】
広告候補選択部７３は、オークション処理部７４によるオークション処理のため、図１４に示すように、（順位付された）複数の広告候補それぞれの入札価格を、オークション処理部７４に与える。
広告候補選択部７３は、広告−広告主データベース８３及び入札価格データベース８６ａ，８６ｂを参照して、各広告候補の入札価格を取得する。具体的には、広告候補選択部７３は、まず、複数の広告候補に基づいて、広告−広告主データベースを検索し、複数の広告候補それぞれの広告主を取得する。
広告候補選択部７３は、さらに、取得した広告主に基づいて、参照すべき入札価格データベース８６ａ，８６ｂを決定する。続いて、広告候補選択部７３は、番組ＩＤによって特定される番組コンテンツのジャンルと、現在時刻（放送時刻）と、に基づいて、決定された入札価格データベース８６ａ，８６ｂを参照し、入札価格となる金額（広告放送の単位時間（例えば、１５秒）あたりの単価）を取得する。
取得された入札価格が、図１４に示すように、各広告候補の入札価格となる。
【０１２５】
オークション処理部７４は、図１４に示す広告候補及びその入札価格を取得すると、取得した複数の広告候補の中から、入札価格の高い１又は複数の広告候補を、広告決定処理部３６から送信処理部３７に出力されるべき広告として選択する。なお、一つの番組コンテンツ中に複数の広告を流すことが可能であるため、オークション処理では、一つの広告だけを選択する必要はなく、複数の広告を選択することができる。
ここで、ある広告が広告決定処理３６によって選択されて送信処理部３７に与えられると、所定時間が経過されるまでは、その広告が送信処理部３７に与えられるのが禁止され、他の選択された広告が送信処理部３７に与えられる。所定の時間は、ユーザ側のテレビ受信器４ｂ，４ｃにおいて、同じ広告が表示される頻度を調整するものである。所定の時間が０であれば、同じ広告を繰り返し表示することが可能となる。所定の時間として０よりも大きい時間が設定されると、同じ広告が繰り返し表示されるのを防止することが可能となる。例えば、所定の時間を、１−２分程度に設定すると、多くの場合一つの広告は１−２分以下の長さであるため、同じ広告が繰り返し表示されるのを確実に防止することができる。また、所定の時間を、一つの番組の長さ（例えば２時間）以上に設定すると、同じ番組内では、必ず異なった広告が表示されることになる。
【０１２６】
また、オークション処理部７４では、受信側情報に基づいて、取得した入札価格を修正した上で、オークション処理を行うことができる。入札価格の修正は、例えば、特定の広告候補が、オークション処理によって優先して選択され易くなるように、特定の広告候補の入札価格を、実際の入札価格よりも大きくした上で、オークション処理を行うために行われる。
【０１２７】
例えば、受信側情報に、通信ネットワーク端末装置５ｂ，５ｃ又は受信機４ｂ，４ｃの設置場所に関する情報が含まれている場合において、設置場所が、スポーツバーであれば、スポーツに関する広告候補の入札価格を高く修正したり、酒類に関する広告候補の入札価格を高く修正することができる。なお、設置場所に関する情報は、番組提供処理装置３に予め登録されていてもよい。
また、受信側情報に含まれるユーザＩＤが、視聴者が複数人（グループ）であることを示している場合には、パブリックスペースに流すのに好適な広告が、オークション処理によって優先して選択され易くなるように、実際の入札価格よりも高く修正することができる。
【０１２８】
オークション処理部７４は、オークション処理によって１又は複数の広告が選択されると、広告の信号データベース８５を参照し、それらの広告の信号ファイル（広告ＲＦ信号又は広告量子化信号）を取得し、送信処理部３７に対して出力する。
また、オークション処理部７４は、オークション処理によって選択された広告それぞれの入札価格を落札価格として、広告価格データベース８４に対して登録する。
【０１２９】
なお、本実施形態の広告決定処理部３６は、オークション処理等によって、広告を選択したが、任意の価格で広告放映権を販売してもよい。
また、番組提供処理装置３側にて、広告放映権のタイムセールを行って、広告を試行的に放映させ、広告効果を検証できるようにしてもよい。
【０１３０】
さらに、本実施形態の番組提供処理装置３側は、図１５に示す広告放送シミュレーション機能を広告主に対して提供する。
図１５に示す広告放送シミュレーション部９０には、入札価格データ（図１３に示す入札価格データベース８６ａ，８６ｂに相当するデータ）と、広告に関するキーワード（図９に示す広告−キーワードデータベース８２に相当するデータ）と、が、広告主側の端末（図示省略）、通信ネットワーク６を介して、与えられる。
すると、当該広告放送シミュレーション部９０は、与えられた入札価格データが入札価格データベース８６ａ，８６ｂに過去の時点で登録され、かつ、与えられた広告に関するキーワードが広告−キーワードデータベース８２に過去の時点で登録されているとした場合において、様々なユーザからの過去の視聴履歴（過去の視聴リクエストデータ）に基づき、シミュレーションを行っている広告主の広告が、過去のどの時間帯に、どの番組コンテンツにおいて放送されるかをシミュレーションする。また、広告が放送されたとした場合の広告料の合計金額も算出する。
【０１３１】
これにより、広告主は、過去の実績データと与えた入札価格データ及びキーワードとに基づいて、広告主の広告が、どのように放送され、費用がいくらになるかを推測することができる。
【０１３２】
［５．変形例］
図１６及び図１７は、番組提供処理装置３における送信処理部３７、及び、通信ネットワーク端末装置５ｂ，５ｃの変形例を示している。
変形例においては、広告の差替処理は、番組提供処理装置３ではなく、通信ネットワーク端末装置５ｂ，５ｃ側で行われる。
【０１３３】
広告の差替処理が通信ネットワーク端末装置５ｂ，５ｃ側で行われるため、番組提供処理装置３の送信処理部３７は、番組取得部３２によって取得した番組コンテンツの放送波の量子化信号と、広告決定処理部３６によって決定された広告の放送波の量子化信号とを、別々に、通信ネットワーク端末装置５ｂ，５ｃへ送信する。
【０１３４】
変形例に係る送信処理部３７は、図３に示す送信処理部３７と同様に、制御部６１、第１周波数変換器６３、ＡＤ変換器６４、第２周波数変換器６５、ΔΣ変調器６６、及び番組送信部６７を備えるが、切替部６２，６８は備えていない。したがって、図１６に示す番組送信部６７は、広告が差替えられる前の元の広告を含む番組コンテンツ（広告は除去されていてもよい）の第１量子化信号を、パケットデータにして、通信ネットワーク端末５ｂ，５ｃに対して送信する。
【０１３５】
変形例に係る送信処理部３７は、番組送信部６７とは別に、広告送信部６９を備えている。広告送信部６９は、広告決定処理部３６によって決定された広告の放送波の第２量子化信号を、パケットデータにして、通信ネットワーク端末５ｂ，５ｃに対して送信する。
【０１３６】
広告送信部６９は、広告データベース７の信号データベース８５から、広告の放送波（希望チャンネルにおける放送波）の量子化信号を取得し、その量子化信号をパケットデータにして送信してもよいし、広告データベース７の信号データベース８５から、広告のＲＦ信号を取得し、番組コンテンツと同様に希望チャンネルへの周波数変換及びΔΣ変調を行って得られた量子化信号をパケットデータにして送信してもよい。
【０１３７】
なお、広告の量子化信号は、広告の放映タイミングまでに通信ネットワーク端末装置５ｂ，５ｃ側に送信されればよいため、番組コンテンツにおける番組本体の放映中において、通信ネットワーク６のトラフィックに余裕があるときに、適宜、送信することができる。
【０１３８】
変形例に係る通信ネットワーク端末装置５ｂ，５ｃは、量子化信号の受信のために、図２に示す通信ネットワーク端末装置５ｂ，５ｃと同様に、番組受信部５５、（番組）バッファ５６、出力部５７、切替部５８、及び制御部５９を備えているほか、広告受信部９１、広告バッファ９２、広告出力部９３、切替部９４を備えている。
なお、図１７には示していないが、図１７の通信ネットワーク端末装置５ｂ，５ｃは、図２に示す通信ネットワーク端末装置５ｂ，５ｃと同様に、番組情報取得部５２、操作部５３、視聴リクエスト送信部５４も備えている。
【０１３９】
広告受信部９１は、広告の放送波の量子化信号を含んだパケットデータを、通信ネットワーク６を介して、番組提供処理装置３から受信する。
広告受信部９１は、受信したパケットデータのデパケット化を行い、パケットデータから、量子化信号、及び再現情報などを抽出する。
【０１４０】
広告受信部９１にて受信された量子化信号は、ＦＩＦＯ（Ｆｉｒｓｔ  Ｉｎ  Ｆｉｒｓｔ  Ｏｕｔ）型の広告バッファ９２に一時的に保存される。広告受信部９１にて受信した再現情報（サンプリング速度情報）は、広告出力部９３に与えられる。
広告出力部９３は、広告バッファ９２に保存された量子化信号（量子化信号の量子化値）を、所定のレート（再現情報が示すサンプリング速度に応じたレート）のパルス信号として、出力する。
【０１４１】
切替部９４は、出力部５７から出力されたパルス信号と、広告出力部９３から出力されたパルス信号のいずれを切替部５８（受信機４ｂ，４ｃ側）に与えるかを切り替える。この切り替えによって、番組コンテンツに元々含まれていた広告が、広告決定処理部３６による広告決定処理によって決定された広告に差し替えられる（広告の差替処理）。
この差替処理によって、広告決定処理部３６によって決定された広告が含まれる番組コンテンツを表現する量子化信号が生成される。
切替部９４による切り替えは、制御部５９によって制御される。制御部５９は、出力部５７から出力される番組コンテンツ放送波に含まれる広告の開始タイミングと広告の終了タイミングを示す信号を検出するなどして、広告タイミングを検出し、切替部９４を切り替える。なお、制御部５９は、番組提供処理装置３の広告タイミング検出部３８にて検出された広告タイミングを取得してもよい。
【０１４２】
［６．  付記］
なお、今回開示された実施の形態はすべての点で例示であって制限的なものではないと考えられるべきである。本発明の範囲は、上記した意味ではなく、特許請求の範囲によって示され、特許請求の範囲と均等の意味、及び範囲内でのすべての変更が含まれることが意図される。
例えば、広告は、番組本体の前後及び途中において時間的に割り込むように存在するものである必要はなく、番組本体の放映中において、テレビ受信機４ｂ，４ｃの画面の一部を占有して表示される広告であってもよい。
【符号の説明】
【０１４３】
１  番組コンテンツ提供システム
３  番組提供処理装置
４ａ，４ｂ，４ｃ  テレビ受信機
５ｂ，５ｃ  通信ネットワーク端末装置
６  通信ネットワーク
７  広告データベース
【図１】
2014042159.tif 000007
【図２】
2014042159.tif 000008
【図３】
2014042159.tif 000009
【図４】
2014042159.tif 000010
【図５】
2014042159.tif 000011
【図６】
2014042159.tif 000012
【図７】
2014042159.tif 000013
【図８】
2014042159.tif 000014
【図９】
2014042159.tif 000015
【図１０】
2014042159.tif 000016
【図１１】
2014042159.tif 000017
【図１２】
2014042159.tif 000018
【図１３】
2014042159.tif 000019
【図１４】
2014042159.tif 000020
【図１５】
2014042159.tif 000021
【図１６】
2014042159.tif 000022
【図１７】
2014042159.tif 000023